(57)【要約】 本発明は、複数のセクターに分割されたセル内に位置した移動局に通信サービスを支援する基地局装置及び方法を開示する。移動局が送信した１つの信号を複数のセクターを介した多重経路を通して受信し、受信された信号を復調して出力する受信部と、受信部から出力された信号を結合して出力する結合部とを含んで構成される。
2007503159.tif 000002
【特許請求の範囲】
【請求項１】
複数のセクターに分割されたセル内に位置した移動局に通信サービスを支援する基地局装置であって、
前記移動局が送信した１つの信号を前記複数のセクターを介した多重経路を通して受信し、前記受信された信号を復調して出力する受信部と、
前記受信部から出力された信号を結合して出力する結合部と
を含んで構成されることを特徴とする装置。
【請求項２】
前記受信部は、
前記移動局が位置したセル内の活性セクターを含む複数のセクターのうちから少なくとも１つ以上のセクターを選択して、前記活性セクター及び前記選択されたセクターを介して出力された信号を受信することを特徴とする請求項１記載の装置。
【請求項３】
前記受信部から出力された信号の信号対干渉雑音比を検査して、前記信号対干渉雑音比があらかじめ定められたしきい値以上である信号を前記結合部へ出力する信号検査部をさらに具備することを特徴とする請求項１記載の装置。
【請求項４】
前記受信部は、
前記複数のセクターのうちの少なくとも１つに対応する複数の受信部から構成されることを特徴とする請求項１記載の装置。
【請求項５】
前記受信部は、
前記複数のセクターのうちの１つに対応するアンテナを介して受信された信号を基底帯域デジタル信号に変換する信号処理部と、
前記信号処理部から出力された信号の強度を検査して、所定のレベル以上になる強度を有する信号が受信される有効経路を検出する探索器と、
前記探索器により検出された有効経路を介して受信された信号を復調し、上記復調された信号を出力する複数のフィンガーと
から構成されることを特徴とする請求項４記載の装置。
【請求項６】
前記アンテナは、
各セクターに対応する指向性アンテナであることを特徴とする請求項５記載の装置。
【請求項７】
前記受信部の動作は、
外部から入力された制御信号に従って、ターンオン又はターンオフされることを特徴とする請求項５記載の装置。
【請求項８】
前記基地局を基準にして前記移動局と反対の位置に対応する少なくとも１つの受信部の動作は、外部から入力された制御信号に従ってターンオフされることを特徴とする請求項５記載の装置。
【請求項９】
複数のセクターに分割されたセル内に位置した移動局に通信サービスを支援する方法であって、
移動局が送信した同一の信号を複数のセクターを介して受信し、前記受信された信号を復調して出力する第１のステップと、
前記復調された信号を結合して出力する第２のステップと
を含んで構成されることを特徴とする方法。
【請求項１０】
前記第１のステップは、
前記移動局が位置したセル内の活性セクターを含む複数のセクターのうちから少なくとも１つ以上のセクターを選択して、前記活性セクター及び前記選択されたセクターを介して出力された信号を受信することを特徴とする請求項９記載の方法。
【請求項１１】
前記第１のステップは、
前記復調された信号の信号対干渉雑音比を検査して、前記信号対干渉雑音比があらかじめ定められたしきい値以上である信号を通過させるステップをさらに具備することを特徴とする請求項９記載の方法。
【発明の詳細な説明】
【技術分野】
【０００１】
本発明は、符号分割多元接続(Code Division Multiple Access；以下、“ＣＤＭＡ”と称する)移動通信システム及び方法に関し、特に、多重セクターに分割されたセルを支援する基地局の上りリンクの受信信号結合装置及び方法に関する。
【背景技術】
【０００２】
符号分割多元接続(ＣＤＭＡ)方式の通信システムは、一定の領域内に位置した移動局にサービスを提供するための複数の基地局と、基地局制御器と、複数の基地局制御器とを管理する基地局管理システムと、交換局システムと、位置登録システムとから構成されている。また、上記複数の基地局の各々がサービスを提供する領域を“セル”と呼び、上記１つのセルは、一般に、３つのセクターに区分される。上記セル内に位置した移動局は、該当セルにサービスを提供する基地局とトラヒックチャンネルを設定した後に、上記設定されたチャンネルを介して音声情報及びデータの通信を遂行する。
【０００３】
上述したＣＤＭＡ移動通信システムは、移動局が１つの基地局から他の基地局へ移動する場合に、又は、移動局が１つのアンテナの地域から他の基地局の地域へ移動する場合に、すなわち、１つのトラヒックチャンネルから新たなトラヒックチャンネルへ移動する場合に要求される処理過程であるハンドオフ機能を提供する。
上記ハンドオフ過程の間に、複数の基地局から送信された信号及び音声情報を統合することによって、通信品質を低下させないようにすることは、非常に重要である。ＣＤＭＡシステムにおいて、呼の連続性を維持するために、多様な形態のハンドオフ方式が提供されている。ハンドオフは、呼の連続性の維持及びシステムの負荷という観点から、その方法及び実現内容に従って、効率の差が生じることがある。
【０００４】
上記多様なハンドオフ方式は、ソフトハンドオフ方式とハードハンドオフ方式とを含む。上記ハードハンドオフは、移動局(Mobile Station；ＭＳ)が異なる周波数(Frequency Allocation；ＦＡ)を使用する基地局(Base Station；ＢＳ)間で移動するか、または、異なる交換器(Mobile Switching Center；ＭＳＣ)に接続されている基地局(ＢＳ)間を移動する際に、基地局と移動局との間の通信を持続するようにするための過程である。
上記ソフトハンドオフは、移動局が同一の交換器に接続された基地局間又は、同一の周波数(ＦＡ)を使用する基地局間へ移動する際に、基地局と移動局との間の通信を持続するようにするための過程である。上記ソフトハンドオフは、セル間(Inter-Cell)ソフトハンドオフ、基地局制御器間(Inter-ＢＳＣ)ハンドオフなどを含み、特に、セクター間(Inter-Sector)ハンドオフは、“ソフターハンドオフ”と呼ぶ。
【０００５】
上記ソフターハンドオフは、移動局が特定の基地局の特定のサービス領域から他のセクターに移動してサービス領域が変わった時、移動局と基地局との間の通信を持続するようにするための過程である。
このために、移動局は、ネイバーリスト(Neighbor List)に含まれた周辺パイロットＰＮ(Pilot PN)のパイロット信号強度を測定して、ハンドオフのためのセット管理(Set Maintenance)過程を遂行する。このようなセット管理過程において、移動局は、通信しているパイロット強度が、あらかじめ定められたしきい値よりも大きい(‘Ｐｉｌｏｔ Ｓｔｒｅｎｇｔｈ>‘Ｔ＿ＡＤＤ’)活性群(Active Set)だけではなく、候補群(Candidate Set)及び隣接群(Neighbor Set)のパイロット信号を継続して測定／管理する。このとき、移動局は、各基地局から受信された多重経路の信号成分の受信レベル及び遅延(delay)、又は相対的な遅延を測定する。通信する間に、活性群に含まれた基地局から受信されたパイロット信号のレベルが、‘Ｔ＿Ｄｒｏｐ’以下に下降するか、候補群又は隣接群に含まれた基地局から受信されたパイロット信号のレベルが、‘Ｔ＿ＡＤＤ’以上に上昇する場合に、移動局は、パイロット強度測定メッセージ(Pilot Strength Measurement Message：以下“ＰＳＭＭ”と称する)を基地局へ送信する。ＰＳＳＭを受信した基地局は、ハンドオフ判断過程を遂行し、その判断の結果をハンドオフ遂行メッセージ(Handoff Direction Message：ＨＤＭ)を通じて端末機へ通知する。
【０００６】
以下、図１を参照して、上述した一連の過程を介して移動中である移動局のソフターハンドオフ過程を説明する。理解を助けるために、図２を参照して、３つのセクターを支援する移動通信システムにおけるハンドオフ過程を例に挙げて説明する。
図２に示すように、基地局システムは、３つのセクター、すなわち、αセクター２０１、βセクター２０２、及びγセクター２０３から構成される。移動局がサービングセクター(serving sector)であるαセクター２０１からターゲットセクター(target sector)であるβセクター２０２へ移動する。
【０００７】
図１を参照すると、ハンドオフ地域へ進入した移動局は、ステップ１００で、ネイバーリスト(Neighbor List)に含まれたパイロットのＰＮ強度を測定して、βセクターのパイロット強度があらかじめ定められたしきい値よりも大きい（Ｅｃ／Ｉｏ>Ｔ＿ＡＤＤ）メッセージを含むＰＳＭＭを基地局へ送信し、隣接群及び候補群に新たに含まれたパイロットの位相及び強度を報告する。すると、基地局は、ＰＳＭＭから該当移動局に対するβセクターのパイロット強度が、αセクターのパイロット強度よりも大きい情報を得る。ステップ１１０で、基地局は、基地局制御器(Base Station Controller；ＢＳＣ)がチャンネル素子(Channel Element；ＣＥ)を通してハンドオフの種類を判断することができるように、移動局から受信されたＰＳＭＭを基地局制御器に報告する。ステップ１２０で、基地局制御器は、ハンドオフの種類をソフターハンドオフ(Softer handoff)と判断して、チャンネル素子を介して基地局(ＢＳ)にソフターハンドオフを遂行するように要求するメッセージを送信する。ステップ１３０で、基地局は、新たな直交符号(Walsh Code)を割り当て、これを基地局制御器(ＢＳＣ)に報告する。ステップ１４０で、基地局が基地局制御器の応答を受信すると、ステップ１５０で、基地局は、移動局にハンドオフ指示メッセージ(Handoff Direction Message；以下、“ＨＤＭ”と称する)を送信し、これによって、移動局がソフターハンドオフ状態であることを通知する。すると、移動局は、活性群(Active Set)に、αセクターのパイロットＰＮ及びβセクターのパイロットＰＮを付加して、αセクター及びβセクターを介して同時に通信を遂行する。ステップ１６０で、基地局は、移動局からソフターハンドオフが完了したというハンドオフ完了メッセージ(Handoff Completion Message；以下、“ＨＣＭ”と称する)を受信する。すると、基地局は、ステップ１７０で、上記ソフターハンドオフの完了を基地局制御器に報告し、ソフターハンドオフ過程を終了する。βセクターに移動局のソフターハンドオフが完了された後に、図２に示すように、基地局は、移動局から多重経路を介して送信された信号のうち、βセクターを介して送信された信号のみを受信して結合する。
【０００８】
一方、上述したようなソフターハンドオフを支援するシステムにおいて、基地局から移動局への下りリンク(Forward Link)及び移動局から基地局への上りリンク(Reverse Link)の送信率(Throughput)を増加させるための方法は、図２に示すように、多重経路を介して送信された同一の信号を結合するダイバーシティ(diversity)方法及び図２に示すような３つのセクターにセルを分離してサービスを提供する多重セクターシステム(Multi-Sectored System)を使用する方法などがある。上述した方法のうち、送信率を増加させるために、セクター(Sector)数を増加させる場合に、下りリンク(Forward Link)の送信率は、増加する。しかしながら、上りリンク(Reverse Link)の送信率は、継続して増加することができない。
【０００９】
これは、上りリンクの場合に、多重セクターシステムにおいて、受信信号を復調する基地局モデム(Modem)のフィンガー(finger)個数が制限され、Ｒｘダイバーシティを適用することができない場合があるためである。
例えば、上りリンク受信ダイバーシティ(Rx Diversity)を適用する６セクターシステムと、上りリンク受信ダイバーシティを適用しない１２セクターシステムとがあると仮定する。一般的に、受信ダイバーシティ(Rx diversity)利得(gain)が、チャンネルモデル(Channel Model)に従って３ｄＢ以上の値を有するので、１２セクターシステムの上りリンクの送信率は、６セクターシステムの上りリンクの送信率の半分よりも小さくなる。上述したように、多重セクターシステムの場合には、下りリンクの送信率は増加するが、上りリンクの送信率は減少する、という問題点があった。
【発明の開示】
【発明が解決しようとする課題】
【００１０】
上記背景に鑑みて、本発明の目的は、ソフターハンドオフを支援する移動通信システムにおける上りリンクの送信率を増加させるための基地局装置及び基地局装置での受信信号を結合する方法を提供することにある。
【課題を解決するための手段】
【００１１】
このような目的を達成するために、本発明の１つの特徴によれば、複数のセクターに分割されたセル内に位置した移動局に通信サービスを支援する基地局装置は、上記移動局が送信した１つの信号を上記複数のセクターを介した多重経路を通して受信し、上記受信された信号を復調して出力する受信部と、上記受信部から出力された信号を結合して出力する結合部とを含んで構成されることを特徴とする。
【発明の効果】
【００１２】
本発明の実施形態は、次のような長所を有する。一番目に、基地局は、活性群に該当する特定のセクターを含むセル内のすべてのセクターを介して、移動局から受信された信号を結合して、上りリンクの送信率を向上させることができる、という利点がある。
二番目に、基地局モデムのフィンガー毎に、特定のしきい値があらかじめ定められて、基地局モデムの検出が難しい信号は探索せず、しきい値以上の信号を結合して、上りリンクの送信率を向上させることができる、という利点がある。
【発明を実施するための最良の形態】
【００１３】
以下、本発明の好適な一実施形態を添付図面を参照しつつ詳細に説明する。下記の説明において、本発明の要旨のみを明瞭にする目的で、関連した公知の機能又は構成に関する具体的な説明は省略する。
【００１４】
本発明の実施形態は、多重セクターから構成されたセルを支援する基地局装置を備える移動通信システムにおける上りリンクの送信率を増加させるために、特定の移動局から送信された信号のうち、活性群内のセクターだけではなく、非活性群内のセクターを介して送信された信号も受信して結合する装置及び方法を提案する。例えば、３つのセクターを支援する移動通信システムの場合に、図３に示すように、基地局は、活性群内のβセクター３０２を介してだけではなく、αセクター３０１及びγセクター３０３を介して送信されたすべての信号を受信して結合する。
【００１５】
上述したように、図４及び図５を参照して、本発明の実施形態による基地局装置及び基地局装置での上りリンクに対する信号を受信して結合する動作を詳細に説明する。
図４は、本発明の一実施形態による多重セクターを支援する基地局装置を含む移動通信システムにおける上りリンクの受信信号結合装置の構成を示すブロック図である。
図４に示す受信信号結合装置は、本発明の理解を助けるために、図３に示すように、３つのセクターに分割された１つのセルを支援し、各セクターに対応する受信部が同時に信号を受信するように構成される。しかしながら、本発明の実施形態の範囲が図４に示す装置に限定されず、６個のセクター、１２個のセクターなどに分割された１つのセルを支援する装置に適用されることができることに注目すべきである。
そして、本発明の理解を助けるために、図４に示す装置では、移動局がβセクターに位置し、従って、βセクターが活性化セクターとして示される。しかしながら、上記活性化セクターは、変更されてもよい。
また、図４に示す上りリンクの受信信号結合装置は、特定の移動局毎に１つずつ対応する。
【００１６】
図４を参照すると、受信部α・４００は、図３に示すαセクター３０１に対応し、βセクター３０２に位置した移動局が送信した信号のうち、αセクター３０１を介して回折／反射して送信された信号の受信／復調を遂行する。受信部α・４００の詳細な構成をさらに説明すると、αセクター３０１から送信された信号を受信する指向性アンテナであるαアンテナ４０１を含む。ＲＦ処理部４０２は、αアンテナ４０１から出力されたアナログ信号を基底帯域デジタル信号に変換する。探索器α・４１０は、ＲＦ処理部４０２から出力された信号の強度(Intensity)を検査し、所定のレベル以上になる強度を有する信号が受信された有効経路を検出して、複数のフィンガー、すなわち、フィンガーα１・４１１〜フィンガーαＮ・４１Ｎに割り当てる。複数のフィンガー４１１〜４１Ｎの各々は、割り当てられた有効経路を通して受信された信号を復調して送信する。
【００１７】
受信部β・４０３及び受信部γ・４０６は、図３に示したβセクター３０２及びγセクター３０３のそれぞれに対応し、βセクター３０２に位置した移動局が送信した信号のうち、回折／反射して、βセクター３０２及びγセクター３０３を介して送信された信号の受信／復調を行い、その詳細な構成は、上述した受信部α・４００と同一である。
【００１８】
また、上記基地局がサービスを提供するセルが、比較的多くの数のセクターに分割される場合に、複数のセクターの各々に対応する受信部のうち、基地局を中心にして、移動局の位置に反対するセクターに対応する受信部は、移動局から良好ではない信号を受信する。従って、この場合に、基地局に含まれた制御部(図示せず)から受信されたスイッチング信号によって、移動局の位置に反対するセクターに対応する受信部の動作をターンオフすることができる。
【００１９】
信号検査部４４０は、複数の受信部４００，４０３，４０６から出力された信号の信号対干渉雑音比(Signal to Interference and Noise Ratio；以下、“ＳＩＮＲ”と称する)を測定する。信号検査部４４０は、あらかじめ定められたＳＩＮＲのしきい値を保存して、あらかじめ定められたしきい値以上のＳＩＮＲを有する信号のみを結合器４５０へ通過するように許容する。信号検査部４４０の検査動作は、基地局を基準にして移動局の位置と反対のセクターから受信された信号のような不必要な信号を除去するために遂行され、送信率を増加させるための信号のみを受信するためである。すなわち、図３を参照すると、移動局がβセクター３０２に位置しているので、受信部β・４０３から出力された信号は、受信部α・４００及び受信部γ・４０６から出力された信号に比べて、信号検査部４４０を比較的さらに多く通過する。
そして、上記ＳＩＮＲのしきい値を決定する具体的な例については、後に図８を参照して説明する。
結合器４５０は、信号検査部４４０から出力された信号を結合して、複数の受信経路を介して受信された元信号を推定する。
【００２０】
下記の説明において、本発明の実施形態による多重セクターを支援する移動通信システムの基地局装置での上りリンクを介して受信された信号を結合する方法を説明するための上述した装置の動作について、図５のフローチャートを参照して説明する。
そして、ソフターハンドオフを介して活性群に対するセクター及び非活性群に対するセクターを決定する過程は、上述したような従来の過程と同一であり、本発明の範囲に含まれない。従って、本発明の実施形態では、その詳細な説明を省略し、ソフターハンドオフを介して活性群及び非活性群が決定された状態を仮定して説明する。
【００２１】
ステップ５００で、基地局に対する活性群のセクター及び非活性群のセクターに対応する受信部は、特定のセクターに位置した移動局から送信された信号を受信する。上記各受信部が受信した信号は、一定の時間の間隔をおいて受信された同一の信号である。上記信号は、各受信部４００，４０３，４０６のアンテナ４０１，４０４，４０８からアナログ信号として出力され、ＲＦ処理部４０２，４０５，４０９で基底帯域デジタル信号に変換される。上記デジタル信号に変換された信号の強度は、探索器４１０，４２０，４３０で測定され、所定の値以上の強度を有する信号のみがフィンガーに割り当てられる。割り当てられた有効経路の受信信号は、各フィンガーにより復調されて出力される。
【００２２】
すると、ステップ５００で、各受信部４００，４０３，４０６によって復調された信号は、基地局の信号検査部４４０に入力され、ステップ５１０で、信号検査部４４０は、上記入力された信号のＳＩＮＲを測定する。ステップ５２０で、信号検査部４４０は、ステップ５１０で測定されたＳＩＮＲがあらかじめ定められたしきい値よりも大きいか否かを検査する。ステップ５２０での検査の結果として、ＳＩＮＲがあらかじめ定められたしきい値以上である場合に、信号検査部４４０は、該当信号を結合器４５０へ出力する。しかしながら、ステップ５１０の検査の結果として、ＳＩＮＲがあらかじめ定められたしきい値以上ではない場合に、信号検査部４４０は、該当信号を結合器４５０に出力しない。結合器４５０に出力された信号は、ステップ５３０で、結合器４５０により結合されて、元信号として出力される。
【００２３】
すなわち、本発明の実施形態によると、基地局は、基地局の領域に位置した特定の移動局から送信された信号を上記特定の移動局が位置した活性群のセクターからの信号を受信するアンテナだけではなく、セル内の相互に異なるセクターからの信号を受信するアンテナを介しても受信する。すると、基地局は、あらかじめ定められた値以上の強度を有する受信信号の一部を結合することによって、その送信率を向上させることができる。
しかしながら、基地局装置は、あらかじめ定められたしきい値を決定せず、受信されたすべての信号を結合することができる。
【００２４】
以下、本発明の実施形態による送信率を向上させる効果は、上りリンク受信ダイバーシティを適用する６セクターシステム及び上りリンク受信ダイバーシティを適用しない１２セクターシステムにおけるシミュレーションの結果を参照して説明する。
【００２５】
図６Ａは、本発明の実施形態による６セクターを支援する移動通信システムにおける上りリンクを介して受信された信号を結合する方法を説明する図である。
図６Ａに示すように、基地局システムは、Ａセクター６０１と、Ｂセクター６０２と、Ｃセクター６０３と、Ｄセクター６０４と、Ｅセクター６０５と、Ｆセクター６０６とから構成された６セクターシステムである。移動局が、サービングセクターであるＡセクター６０１からターゲットセクターであるＢセクター６０２へ移動する場合に、ソフターハンドオフが遂行される。基地局の結合器は、上述したように、活性群に対応するＢセクター６０２を含むセル内のすべてのセクターを介して移動局から受信されたすべての信号のＳＩＮＲ(Signal-to-Interference-and-Noise-Ratio)を測定する。すると、結合器は、特定のしきい値以上の強度を有する信号を結合する。下記の説明において、上りリンク受信ダイバーシティを適用した６セクターシステムにおいて、従来の結合方法を使用した場合の上りリンク送信率のシミュレーション結果と、本発明の結合方法を使用した場合の上りリンク送信率のシミュレーション結果とを図６Ｂを参照して説明する。
【００２６】
図６Ｂを説明すると、２つの移動局、４つの移動局、及び８つの移動局を構成するグループの各々が、３ｋｍ／ｈ、３０ｋｍ／ｈ、及び１２０ｋｍ／ｈのフェージング環境に置かれている場合に、従来技術の結合方法による上りリンクの送信率及び本発明の信号結合方法による上りリンクの送信率を示す。
２つの移動局、４つの移動局、及び８つの移動局を構成するグループの各々が３ｋｍ／ｈの速度で移動している場合に、例えば、移動局を有している各ユーザーが歩いている場合に、従来技術による上りリンクの送信率は、それぞれ１７８．８９ｋｂｐｓ、２３４．９８ｋｂｐｓ、及び２５５．５２ｋｂｐｓであり、本発明の実施形態による上りリンクの送信率は、それぞれ１９５．６４ｋｂｐｓ、２６５．５７ｋｂｐｓ、及び２９２．４３ｋｂｐｓである。従って、本発明の実施形態を介して送信率が向上したことが分かる。
２つの移動局、４つの移動局、及び８つの移動局を構成するグループの各々が３０ｋｍ／ｈの速度で移動している場合に、例えば、移動局を有している各ユーザが自転車で移動している場合に、従来技術による上りリンクの送信率は、それぞれ１５７．０３ｋｂｐｓ、１９３．８２ｋｂｐｓ、及び１８９．９３ｋｂｐｓであり、本発明の実施形態による上りリンクの送信率は、それぞれ１６５．２９ｋｂｐｓ、２０５．０６ｋｂｐｓ、及び２０２．５４ｋｂｐｓである。従って、本発明の実施形態を介して送信率がまた向上したことが分かる。
２つの移動局、４つの移動局、及び８つの移動局を構成するグループの各々が１２０ｋｍ／ｈの速度で移動している場合に、例えば、移動局を有している各ユーザが自動車で移動している場合に、従来技術による上りリンクの送信率は、それぞれ１７９．６３ｋｂｐｓ、２１６．０２ｋｂｐｓ、及び２１１．６２ｋｂｐｓであり、本発明の実施形態による上りリンクの送信率は、それぞれ１９１．４６ｋｂｐｓ、２３６．９１ｋｂｐｓ、及び２４５．５７ｋｂｐｓである。
上述したように、６セクターシステムの場合に、従来技術に比べて、本発明の実施形態による上りリンクの送信率が１．０６〜１．１４倍増加することが分かる。
【００２７】
図７Ａは、本発明の実施形態による１２セクターを支援する移動通信システムにおける上りリンクの受信信号を結合する方法を説明する図である。
図７Ａに示すように、基地局システムは、Ａセクター７０１と、Ｂセクター７０２と、Ｃセクター７０３と、Ｄセクター７０４と、Ｅセクター７０５と、Ｆセクター７０６と、Ｇセクター７０７と、Ｈセクター７０８と、Ｉセクター７０９と、Ｊセクター７１０と、Ｋセクター７１１と、Ｌセクター７１２とから構成された１２セクターシステムである。移動局がサービングセクターであるＡセクター７０１からターゲットセクターであるＢセクター７０２へ移動する場合に、ソフターハンドオフが遂行される。基地局の結合器は、上述したように、活性群に対応するＢセクター７０２を含むセル内のすべてのセクターを介して移動局から受信されたすべての信号のＳＩＮＲを測定する。すると、結合器は、特定のしきい値以上の強度を有する信号を結合する。下記の説明において、上りリンク受信ダイバーシティを適用しない１２セクターシステムにおいて、従来の結合方法を使用した場合の上りリンク送信率のシミュレーション結果と、本発明の結合方法を使用した場合の上りリンク送信率のシミュレーション結果とを図７Ｂを参照して説明する。
【００２８】
図７Ｂは、図６Ｂに示したように、２つの移動局、４つの移動局、及び８つの移動局を構成するグループの各々が、３ｋｍ／ｈ、３０ｋｍ／ｈ、及び１２０ｋｍ／ｈのフェージング環境に置かれている場合に、従来技術の結合方法による上りリンクの送信率及び本発明の信号結合方法による上りリンクの送信率を示す。
２つの移動局、４つの移動局、及び８つの移動局を構成するグループの各々が３ｋｍ／ｈの速度で移動している場合に、例えば、移動局を有している各ユーザーが歩いている場合に、従来技術による上りリンクの送信率は、それぞれ６７．６７ｋｂｐｓ、６０．９５ｋｂｐｓ、及び４９．３７ｋｂｐｓであり、本発明の実施形態による上りリンクの送信率は、それぞれ１２１．５２ｋｂｐｓ、１２９．５８ｋｂｐｓ、及び１０５．１７ｋｂｐｓである。従って、本発明の実施形態を介して送信率が向上したことが分かる。
２つの移動局、４つの移動局、及び８つの移動局を構成するグループの各々が３０ｋｍ／ｈの速度で移動している場合に、例えば、移動局を有している各ユーザが自転車で移動している場合に、従来技術による上りリンクの送信率は、それぞれ７２．１８ｋｂｐｓ、６３．１２ｋｂｐｓ、及び５４．９１ｋｂｐｓであり、本発明の実施形態による上りリンクの送信率は、それぞれ９７．０２ｋｂｐｓ、９０．５３ｋｂｐｓ、及び７９．２２ｋｂｐｓである。従って、本発明の実施形態を介して送信率がさらに向上したことが分かる。
２つの移動局、４つの移動局、及び８つの移動局を構成するグループの各々が１２０ｋｍ／ｈの速度で移動している場合に、例えば、移動局を有している各ユーザが自動車で移動している場合に、従来技術による上りリンクの送信率は、それぞれ９１．７４ｋｂｐｓ、８６．０５ｋｂｐｓ、及び６５．４０ｋｂｐｓであり、本発明の実施形態による上りリンクの送信率は、それぞれ１１１．４８ｋｂｐｓ、１０９．６９ｋｂｐｓ、及び８３．４２ｋｂｐｓである。上述したように、１２セクターシステムの場合に、従来技術に比べて、本発明の実施形態による上りリンクの送信率が１．２２〜２．１３倍増加することが分かる。上記シミュレーション結果を参照すると、１２セクターシステムでの上りリンクの送信率は、受信ダイバーシティ(Rx Diversity)を適用しないために、受信ダイバーシティを適用した６セクターシステムの上りリンクの送信率よりも低く測定される。
【００２９】
上記シミュレーション結果を通して説明したように、受信ダイバーシティを適用する６セクターシステムの場合には、本発明の信号結合方法による上りリンクの送信率が、従来技術による上りリンクの信号結合による送信率よりも１．０６〜１．１４倍増加することが分かり、受信ダイバーシティを適用しない１２セクターシステムの場合には、本発明の信号結合方法による上りリンクの送信率が、従来技術による上りリンクの信号結合による送信率よりも１．２２〜２．１３倍増加することが分かる。そして、受信ダイバーシティを適用しない場合が、受信ダイバーシティを適用する場合よりもさらに高い上りリンクの送信率の増加を示す。
【００３０】
図８は、１２セクターに分割されたセルで構成されるシステムにおいて、２つの移動局が３０ｋｍ／ｈのフェージング環境に置かれている場合に、パイロットＥｃ／Ｎｔしきい値（ＳＩＮＲしきい値）の変化による上りリンクの送信率の変化を示すグラフである。
図８を参照すると、比較的高いしきい値の場合には、本発明の上りリンク結合方法による上りリンクの送信率は、従来の結合方法による上りリンクの送信率とほとんど同じ結果を示す。
しかしながら、上りリンクの送信率は、上記しきい値の減少に従って確実な増加を示し、上記パイロットＥｃ／Ｎｔしきい値が−３６ｄＢよりも小さい値に減少する場合に、上りリンクの送信率の増加量は、相当に減少することが分かる。このようなシミュレーション結果に示されているように、基地局モデムのフィンガーごとに特定のしきい値があらかじめ決定され、これによって、基地局モデムは、検出が難しい信号は探索せず、活性群に対応する特定のセクターを含むセル内のすべてのセクターを介して移動局から受信された信号のうち、上記特定のしきい値以上の信号のみを結合すると、従来の方式に比べて、上りリンクの送信率を向上させることができる。
【００３１】
以上、本発明の詳細について具体的な実施の形態に基づき説明してきたが、本発明の範囲を逸脱しない限り、各種の変形が可能なのは明らかである。従って、本発明の範囲は、上記実施の形態に限定されるものではなく、特許請求の範囲の記載及び該記載と同等なものにより定められるべきである。
【図面の簡単な説明】
【００３２】
【図１】従来技術による移動通信システムにおけるソフターハンドオフ過程を説明するための図である。
【図２】従来技術による３セクター移動通信システムにおける上りリンクの受信信号の結合方法を説明するための図である。
【図３】本発明の実施形態による３セクター移動通信システムにおける上りリンクの受信信号の結合方法を説明するための図である。
【図４】本発明の実施形態による多重セクター移動通信システにおける上りリンクの受信信号の結合動作を遂行する基地局装置の構成を示すブロック図である。
【図５】本発明の実施形態による多重セクター移動通信システムにおける基地局装置の上りリンクの受信信号の結合方法を説明するためのフローチャートである。
【図６Ａ】本発明の実施形態による６セクター移動通信システムにおける上りリンクの受信信号の結合方法を説明するための図である。
【図６Ｂ】本発明の実施形態による６セクター移動通信システムにおける上りリンクの受信信号の結合方法に従う上りリンクの送信率のシミュレーション結果を示す図である。
【図７Ａ】本発明の実施形態による１２セクター移動通信システムにおける上りリンクの受信信号の結合方法を説明するための図である。
【図７Ｂ】本発明の実施形態による１２セクター移動通信システムにおける上りリンクの受信信号の結合方法に従う上りリンクの送信率のシミュレーション結果を示す図である。
【図８】本発明の実施形態による１２セクター移動通信システムにおけるＳＩＮＲの変化に従う上りリンクの送信率の変化を説明するためのグラフである。
【符号の説明】
【００３３】
４００  受信部α
４０１  αアンテナ
４０２、４０５、４０９  ＲＦ処理部
４０３  受信部β
４０４  βアンテナ
４０６  受信部γ
４０８  γアンテナ
４１０  探索器α
４１１〜４１Ｎ  フィンガーα１〜フィンガーαＮ
４２０  探索器β
４２１〜４２Ｎ  フィンガーβ１〜フィンガーβＮ
４３０  探索器γ
４３１〜４３Ｎ  フィンガーγ１〜フィンガーγＮ
４４０  信号検査部
４５０  結合器
【図１】
2007503159.tif 000003
【図２】
2007503159.tif 000004
【図３】
2007503159.tif 000005
【図４】
2007503159.tif 000006
【図５】
2007503159.tif 000007
【図６Ａ】
2007503159.tif 000008
【図６Ｂ】
2007503159.tif 000009
【図７Ａ】
2007503159.tif 000010
【図７Ｂ】
2007503159.tif 000011
【図８】
2007503159.tif 000012
【国際調査報告】
2007503159.tif 000013